【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
天板の長手方向両端に支脚を取り付けた作業台において、
該天板の四隅部に立設される支柱と、天板長手方向に対向する両支柱間に橋架して天板の桁側端部であることを知らせるための桁側端部感知ロッドとを備え、
該感知ロッドは、テレスコープ式に複数段に伸縮する構造であり、基端側が前記両支柱の一方の支柱上部に垂直面内回動可能に枢着すると共に、先端側に他方の支柱上部の掛合部に対して離脱可能に掛着する掛止部を備え、
該感知ロッドが不使用時の収縮状態において枢着した基端側を上にした垂下姿勢に転換し得るように構成されてなる作業台。
【請求項２】
桁側端部感知ロッドの基端側を枢着した支柱の下部側に、前記垂下姿勢の該感知ロッドにおける前記掛止部が離脱可能に掛着する掛合部を有してなる請求項１に記載の作業台。
【請求項３】
桁側端部感知ロッドの基端側が、前記一方の支柱上部に垂直面内及び水平面内回動可能に枢支されてなる請求項１又は２に記載の作業台。
【請求項４】
前記の両支脚及び四隅の支柱が天板に対して重なるように折畳み可能である請求項１〜３の何れかに記載の作業台。
【請求項５】
桁側端部感知ロッドの前記掛止部と前記他方の支柱上部の掛合部の一方に、該掛止部と掛合部とを掛着状態で固定するロック部材が取り付けられてなる請求項１〜４の何れかに記載の作業台。
【請求項６】
桁側端部感知ロッドの前記掛止部は、前記他方の支柱頂部に対して上方から嵌合する嵌合枠をなすと共に、該嵌合枠にばね部材を介して前記他方の支柱の掛合部に対する掛合方向に付勢された前記ロック部材が取り付けられてなる請求項５に記載の作業台。
【請求項７】
天板長手方向に対向する二対の支柱間に各々橋架させる２本の桁側端部感知ロッドが、互いに伸縮方向を逆にするように配置してなる請求項１〜６の何れかに記載の作業台。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項２の発明は、上記請求項１の作業台において、桁側端部感知ロッド５の基端５ａ側を枢着した支柱３の下部側に、垂下姿勢の該感知ロッド５における掛止部６が離脱可能に掛着する掛合部（掛合孔３１）を有してなるものとしている。
【手続補正６】
【補正対象書類名】明細書
【補正対象項目名】００１１
【補正方法】変更
【補正の内容】
【００１１】
請求項３の発明は、上記請求項１又は２の作業台において、桁側端部感知ロッド５の基端５ａ側が、一方の支柱３上部に垂直面内及び水平面内回動可能に枢支されてなるものとしている。
【手続補正７】
【補正対象書類名】明細書
【補正対象項目名】００１２
【補正方法】変更
【補正の内容】
【００１２】
請求項４の発明は、上記請求項１〜３の何れかの作業台において、両支脚２，２及び四隅の支柱３，４が天板１に対して重なるように折畳み可能であるものとしている。
【手続補正８】
【補正対象書類名】明細書
【補正対象項目名】００１３
【補正方法】変更
【補正の内容】
【００１３】
請求項５の発明は、上記請求項１〜４の何れかの作業台において、桁側端部感知ロッド５の掛止部６と他方の支柱４上部の掛合部の一方に、該掛止部６と掛合部とを掛着状態で固定するロック部材（フックピン６１）が取り付けられてなるものとしている。
【手続補正９】
【補正対象書類名】明細書
【補正対象項目名】００１４
【補正方法】変更
【補正の内容】
【００１４】
請求項６の発明は、上記請求項５の作業台において、桁側端部感知ロッド５の掛止部６は、他方の支柱４頂部に対して上方から嵌合する嵌合枠６０をなすと共に、該嵌合枠６０にばね部材（コイルスプリング６２）を介して他方の支柱４の掛合部（掛合孔４１）に対する掛合方向に付勢されたロック部材が取り付けられてなるものとしている。
【手続補正１０】
【補正対象書類名】明細書
【補正対象項目名】００１５
【補正方法】変更
【補正の内容】
【００１５】
請求項７の発明は、上記請求項１〜６の何れかの作業台において、天板長手方向に対向する二対の支柱３，４間に各々橋架させる２本の桁側端部感知ロッド５が、互いに伸縮方向を逆にするように配置してなるものとしている。
【手続補正１１】
【補正対象書類名】明細書
【補正対象項目名】００１８
【補正方法】変更
【補正の内容】
【００１８】
この場合、桁側端部感知ロッド５が２段に伸縮するものであることによって、その構造が簡単で製作容易であり、且つロッドとしての剛性が向上する。
【手続補正１２】
【補正対象書類名】明細書
【補正対象項目名】００１９
【補正方法】変更
【補正の内容】
【００１９】
この場合、桁側端部感知ロッド５が３段に伸縮するものであることによって、その伸長状態に対して収縮状態の長さが短く、不使用時の垂下姿勢の上下高さが低くなるから、天板１の長手方向寸法が大きい場合でも両側支柱３，４を過度に高くする必要がなく、余裕をもって支柱３側に折り畳むことができる。
【手続補正１３】
【補正対象書類名】明細書
【補正対象項目名】００２０
【補正方法】変更
【補正の内容】
【００２０】
この場合、桁側端部感知ロッド５が４段に伸縮するものであることによって、その伸長状態に対して収縮状態の長さが更に短くなり、不使用時の垂下姿勢の上下高さがより低くなるから、より余裕をもって支柱３側に折り畳むことができる。
【手続補正１４】
【補正対象書類名】明細書
【補正対象項目名】００２１
【補正方法】変更
【補正の内容】
【００２１】
請求項２の発明によれば、不使用時の収縮状態で垂下姿勢とした桁側端部感知ロッド５が、これに沿う支柱３に対して先端側の掛止部６を利用して固定できるから、作業台の使用形態と折畳み形態との転換操作において、該感知ロッド５が揺れ動いて支障をきたす懸念がない。
【手続補正１５】
【補正対象書類名】明細書
【補正対象項目名】００２２
【補正方法】変更
【補正の内容】
【００２２】
請求項３の発明によれば、桁側端部感知ロッド５は、基端５ａ側で一方の支柱３上部に垂直面内及び水平面内回動可能に枢支されているから、伸長して両支柱３，４間にへ水平に橋架する使用形態と収縮して一方の支柱３に沿って垂下する不使用形態とに転換できることに加え、その不使用形態の垂下位置を該支柱３の周方向に移動でき、この移動によって該感知ロッド５を、作業台の各取扱い段階で好都合な位置、特に可搬式の作業台として不使用時に折畳み形態にする際には折畳みに支障をきたさず且つ嵩高にならない位置に、簡単に設定できる。
【手続補正１６】
【補正対象書類名】明細書
【補正対象項目名】００２３
【補正方法】変更
【補正の内容】
【００２３】
請求項４の発明によれば、両支脚２，２及び四隅の支柱３，４が天板１に対して重なるように折畳み可能であるから、不使用時の作業台を折畳み形態とすることで、その運搬が容易であると共に、搬送及び保管時に嵩張らず省スペースになるという利点がある。
【手続補正１７】
【補正対象書類名】明細書
【補正対象項目名】００２４
【補正方法】変更
【補正の内容】
【００２４】
請求項５の発明によれば、桁側端部感知ロッド５の掛止部６と他方の支柱４上部の掛合部とが、掛着状態でロック部材（フックピン６１）によって固定されるから、その掛着部分が該感知ロッド５に加わる外力や振動等によって解離する懸念がない。
【手続補正１８】
【補正対象書類名】明細書
【補正対象項目名】００２５
【補正方法】変更
【補正の内容】
【００２５】
請求項６の発明によれば、桁側端部感知ロッド５の掛止部６は、他方の支柱４頂部に対し上方から嵌合する嵌合枠６０に、ばね部材（コイルスプリング６２）によって該支柱４の掛合部（掛合孔４１）に対する掛合方向に付勢されたロック部材（フックピン６１）を備えるから、ロック部材をばね力に抗して非ロック位置にした状態で嵌合枠６０を他方の支柱４頂部に嵌合させるだけで、該支柱４の掛合部に対して確実に掛合固定できる。
【手続補正１９】
【補正対象書類名】明細書
【補正対象項目名】００２６
【補正方法】変更
【補正の内容】
【００２６】
請求項７の発明によれば、天板長手方向に対向する二対の支柱３，４間に各々橋架させる２本の桁側端部感知ロッド５が、互いに伸縮方向を逆にするように配置しているから、天板１上の作業者にとって該天板１の両側の各桁面に臨んで該感知ロッド５の伸縮方向が同じになり、もって両感知ロッド５，５の橋架及び橋架解除の操作を左右で戸惑わずに行え、それだけ操作能率が向上する。